(57)【要約】【課題】中圧蒸気の発生量を増加させるために高圧蒸気の発生を減少させるような排熱回収ボイラとすることなく、効率良くガスタービンを蒸気によって冷却することが可能なガスタービン冷却システム、石炭ガス化複合発電システム及びガスタービン冷却方法を提供することを目的とする。【解決手段】ガスタービン冷却システムは、排熱回収ボイラ２の高圧系統６、同中圧系統７からガスタービン３の冷却系統８へ高圧蒸気又は中圧蒸気を供給する高圧蒸気管２８及び中圧蒸気管と、石炭ガス化炉にて熱交換して蒸気を発生させるガス化炉ＳＧＣ２０からガスタービン３の冷却系統８へ蒸気を供給するＳＧＣ蒸気管２４とを備え、各蒸気の圧力に基づいて冷却系統へ８供給する冷却蒸気が選択され、選択された冷却蒸気が冷却系統８へ供給される。【選択図】図１
2013249745.tif 000002
【特許請求の範囲】
【請求項１】
ガスタービンと、
前記ガスタービンからの排熱と熱交換して第１蒸気を発生させる第１系統と、前記ガスタービンからの排熱と熱交換して前記第１蒸気よりも低圧の第２蒸気を発生させる第２系統とを有する排熱回収ボイラと、
前記第１系統と前記ガスタービンの冷却系統とを接続し、前記第１系統から前記冷却系統へ前記第１蒸気を供給する第１冷却蒸気供給路と、
前記第２系統と前記ガスタービンの冷却系統とを接続し、前記第２系統から前記冷却系統へ前記第２蒸気を供給する第２冷却蒸気供給路と、
石炭ガス化炉にて生成された石炭ガスと熱交換して第３蒸気を発生させる冷却器と、
前記冷却器と前記ガスタービンの冷却系統とを接続し、前記冷却器から前記冷却系統へ前記第３蒸気を供給する第３冷却蒸気供給路と、
前記第１蒸気、前記第２蒸気及び前記第３蒸気の圧力に基づいて、前記冷却系統へ供給する冷却蒸気を、前記第１蒸気、前記第２蒸気及び前記第３蒸気のうち少なくともいずれか一つから選択し、前記第１冷却蒸気供給路、前記第２冷却蒸気供給路及び前記第３冷却蒸気供給路を切り替えて、選択された前記冷却蒸気を前記冷却系統へ供給させる制御部と、
を備えるガスタービン冷却システム。
【請求項２】
前記制御部は、前記第１蒸気、前記第２蒸気及び前記第３蒸気の温度に基づいて、前記第１蒸気、前記第２蒸気及び前記第３蒸気のうち少なくともいずれか一つから前記冷却蒸気を選択する請求項１に記載のガスタービン冷却システム。
【請求項３】
第４蒸気を発生させる外部機器と前記ガスタービンの冷却系統とを接続し、前記外部機器から前記冷却系統へ前記第４蒸気を供給する第４冷却蒸気供給路を更に備え、
前記制御部は、前記第１蒸気、前記第２蒸気、前記第３蒸気及び前記第４蒸気の圧力、又は、前記第１蒸気、前記第２蒸気、前記第３蒸気及び前記第４蒸気の圧力及び温度に基づいて、前記第１蒸気、前記第２蒸気、前記第３蒸気及び前記第４蒸気のうち少なくともいずれか一つから前記冷却蒸気を選択し、前記第１冷却蒸気供給路、前記第２冷却蒸気供給路、前記第３冷却蒸気供給路及び前記第４冷却蒸気供給路を切り替えて、選択された前記冷却蒸気を前記冷却系統へ供給させる請求項１又は２に記載のガスタービン冷却システム。
【請求項４】
前記制御部は、
前記ガスタービンの起動後から前記排熱回収ボイラからの前記第１蒸気及び前記第２蒸気が確立するまでの間、前記冷却蒸気として前記第４蒸気を選択し、前記第４冷却蒸気供給路を介して前記冷却系統へ前記第４蒸気を供給し、
前記排熱回収ボイラの前記第１蒸気が確立してから前記冷却器から発生する前記第３蒸気が確立するまでの間、前記冷却蒸気として前記第１蒸気を選択し、前記第１冷却蒸気供給路を介して前記冷却系統へ前記第１蒸気を供給し、
前記排熱回収ボイラの前記第２蒸気が確立してから、前記冷却蒸気として前記第２蒸気を選択し、前記第２冷却蒸気供給路を介して前記冷却系統へ前記第２蒸気を供給し、
前記冷却器から発生する前記第３蒸気が確立してから、前記冷却蒸気として前記第３蒸気を選択し、前記第３冷却蒸気供給路を介して前記冷却系統へ前記第３蒸気を供給する請求項３に記載のガスタービン冷却システム。
【請求項５】
前記ガスタービンの冷却状態に基づいて、前記第３冷却蒸気供給路を流れる前記第３蒸気の蒸気量を調整する第１蒸気量調整手段を更に備える請求項１から４のいずれか１項に記載のガスタービン冷却システム。
【請求項６】
前記ガスタービンの冷却状態に基づいて、前記第３冷却蒸気供給路を流れる前記第３蒸気の温度を調整する第３温度調整手段を更に備える請求項１から５のいずれか１項に記載のガスタービン冷却システム。
【請求項７】
前記第３冷却蒸気供給路を流れる前記第３蒸気を蒸気タービンへ排気する蒸気排出路と、
前記蒸気排出路上に設けられ、前記蒸気排出路を流れる前記第３蒸気の蒸気量を調整する第２蒸気量調整手段と、
を有する請求項１から６のいずれか１項に記載のガスタービン冷却システム。
【請求項８】
前記ガスタービンの冷却状態に基づいて、前記第１冷却蒸気供給路を流れる前記第１蒸気の温度を調整する第１温度調整手段を更に備える請求項１から７のいずれか１項に記載のガスタービン冷却システム。
【請求項９】
石炭ガス化炉と、
前記第１系統から前記第１蒸気が供給される蒸気タービンと、
請求項１から８のいずれか１項に記載のガスタービン冷却システムと、
を備える石炭ガス化複合発電システム。
【請求項１０】
ガスタービンと、前記ガスタービンからの排熱と熱交換して第１蒸気を発生させる第１系統と、前記ガスタービンからの排熱と熱交換して前記第１蒸気よりも低圧の第２蒸気を発生させる第２系統とを有する排熱回収ボイラと、石炭ガス化炉にて生成された石炭ガスと熱交換して第３蒸気を発生させる冷却器とを備えるガスタービン冷却システムにおけるガスタービン冷却方法であって、
前記第１系統から前記ガスタービンの冷却系統へ前記第１蒸気を供給するステップと、
前記第２系統から前記冷却系統へ前記第２蒸気を供給するステップと、
前記冷却器から前記冷却系統へ前記第３蒸気を供給するステップと、
前記第１蒸気、前記第２蒸気及び前記第３蒸気の圧力に基づいて、前記冷却系統へ供給する冷却蒸気を、前記第１蒸気、前記第２蒸気及び前記第３蒸気のうち少なくともいずれか一つから選択するステップと、
選択された前記冷却蒸気を前記冷却系統へ供給させるステップと、
を備えるガスタービン冷却方法。
【発明の詳細な説明】
【技術分野】
【０００１】
本発明は、排熱回収ボイラで発生した蒸気によってガスタービンを冷却するガスタービン冷却システム、石炭ガス化複合発電システム及びガスタービン冷却方法に関するものである。
【背景技術】
【０００２】
ガスタービン複合発電システム（ＧＴＣＣ）や石炭ガス化複合発電システム（ＩＧＣＣ）に設けられる排熱回収ボイラ（ＨＲＳＧ）は、ガスタービンからの排熱を利用して蒸気タービンを駆動させるための蒸気を発生させている。ところで、高効率化が図られたガスタービンの高温化に伴い、機器保護の観点から、運転時に高熱となるガスタービン燃焼器の尾筒やその他の部位などが冷却される必要がある。そこで、上記発電プラントにおいて、ガスタービンを冷却させるため、冷却媒体として空気が使用されるだけでなく、排熱回収ボイラで発生した蒸気が使用されることがある。
【０００３】
特許文献１では、石炭ガス化コンバインドサイクル発電プラントにおいて、石炭ガス化プラントの冷却器で発生した蒸気を用いてガスタービン高温部を冷却し、同蒸気を回収させて再活用を図る技術が開示されている。
【先行技術文献】
【特許文献】
【０００４】
【特許文献１】特開２０００−２９１４１１号公報
【発明の概要】
【発明が解決しようとする課題】
【０００５】
石炭ガス化複合発電システムにおいて、ガスタービン冷却に使用される蒸気源としては、排熱回収ボイラで発生する高圧蒸気と中圧蒸気がある。このうち、中圧蒸気は5MPaA程度であり、被冷却対象（ガスタービン）において要求される冷却条件と合致する。そのため、排熱回収ボイラで発生した蒸気を冷却媒体として使用する場合、プラント定格運転点及び高負荷帯では、中圧蒸気のみが用いられることが多い。
【０００６】
冷却蒸気源の選定に当たっては、プラントの負荷変化時や燃料性状のずれを考えると、冷却蒸気の必要量には適切な余裕を加味することが重要である。このため、中圧蒸気を主として冷却媒体とする場合であっても、変動条件に対応するため、排熱回収ボイラで発生した高圧蒸気の一部を冷却媒体のバックアップとして用いることが考えられる。しかし、高温かつ高圧である蒸気をわざわざ減温、減圧することになり、中圧蒸気の場合と比較して損失が生じる。そのため、プラント効率の低下を避けるため、極力中圧蒸気を使用することが望ましい。
【０００７】
一方、ガスタービンの大型化や高温化に合わせて、機器保護に必要な蒸気量を増加させる必要がある。このとき、従来と同様の排熱回収ボイラの設計では、プラント定格運転時における冷却蒸気量を中圧蒸気のみで賄うことができない。高圧蒸気量を抑制し中圧蒸気量を増やした設計を採用することが考えられるが、プラント性能への寄与度が大きい高圧蒸気が減少することから、この方法ではプラント効率が低下する。
【０００８】
また、ガスタービンの尾筒冷却系統は、高熱負荷にさらされている。したがって、熱衝撃などによるトラブルを防止するため、尾筒冷却系統に流入させる冷却蒸気に水滴又はミスト状の水などが含まれることは避けるべきである。
【０００９】
本発明は、このような事情に鑑みてなされたものであって、中圧蒸気の発生量を増加させるために高圧蒸気の発生を減少させるような排熱回収ボイラとすることなく、効率良くガスタービンを蒸気によって冷却することが可能なガスタービン冷却システム、石炭ガス化複合発電システム及びガスタービン冷却方法を提供することを目的とする。
【課題を解決するための手段】
【００１０】
上記課題を解決するために、本発明のガスタービン冷却システム、石炭ガス化複合発電システム及びガスタービン冷却方法は以下の手段を採用する。
すなわち、本発明に係るガスタービン冷却システムは、ガスタービンと、ガスタービンからの排熱と熱交換して第１蒸気を発生させる第１系統と、ガスタービンからの排熱と熱交換して第１蒸気よりも低圧の第２蒸気を発生させる第２系統とを有する排熱回収ボイラと、第１系統とガスタービンの冷却系統とを接続し、第１系統から冷却系統へ第１蒸気を供給する第１冷却蒸気供給路と、第２系統とガスタービンの冷却系統とを接続し、第２系統から冷却系統へ第２蒸気を供給する第２冷却蒸気供給路と、石炭ガス化炉にて生成された石炭ガスと熱交換して第３蒸気を発生させる冷却器と、冷却器とガスタービンの冷却系統とを接続し、冷却器から冷却系統へ第３蒸気を供給する第３冷却蒸気供給路と、第１蒸気、第２蒸気及び第３蒸気の圧力に基づいて、冷却系統へ供給する冷却蒸気を、第１蒸気、第２蒸気及び第３蒸気のうち少なくともいずれか一つから選択し、第１冷却蒸気供給路、第２冷却蒸気供給路及び第３冷却蒸気供給路を切り替えて、選択された冷却蒸気を冷却系統へ供給させる制御部とを備える。
【００１１】
この発明によれば、排熱回収ボイラの第１系統で発生した第１蒸気、排熱回収ボイラの第２系統で発生した第２蒸気、及び石炭ガス化炉の冷却器で発生した第３蒸気が、ガスタービンの冷却系統へ供給されて、ガスタービンを冷却する。
そして、第１蒸気、第２蒸気及び第３蒸気の圧力に基づいて、冷却系統へ供給する冷却蒸気が選択され、第１冷却蒸気供給路、第２冷却蒸気供給路及び第３冷却蒸気供給路が切り替えられて、選択された冷却蒸気が冷却系統へ供給される。
【００１２】
例えば、プラントの起動時などにおいて、排熱回収ボイラの第２系統からの第２蒸気の蒸気量や、石炭ガス化炉の冷却器からの第３蒸気の蒸気量が十分ではない場合に、排熱回収ボイラの第１系統からの第１蒸気を用いることによって、ガスタービンの冷却系統へ冷却蒸気を供給できる。また、石炭ガス化炉の冷却器からの第３蒸気が確立した後の、プラントの定格運転点及び高負荷帯においては、第１蒸気を供給することなく、第２蒸気及び第３蒸気を用いてガスタービン冷却のための蒸気を供給することができる。
その結果、冷却蒸気の切り替わりが行われることによって、効率良くガスタービンを蒸気によって冷却することができる。さらに、プラントの定格運転点及び高負荷帯において、第１蒸気を用いる必要がなく、また、排熱回収ボイラの設計に当たって、第２蒸気の発生量を増加させるため、第１蒸気の発生を減少させる必要がない。
【００１３】
上記発明において、第１蒸気、第２蒸気及び第３蒸気の温度に基づいて、第１蒸気、第２蒸気及び第３蒸気のうち少なくともいずれか一つから冷却蒸気を選択してもよい。
【００１４】
この発明によれば、圧力条件に加えて、第１蒸気、第２蒸気及び第３蒸気の温度に基づいて、冷却系統へ供給する冷却蒸気が選択され、第１冷却蒸気供給路、第２冷却蒸気供給路及び第３冷却蒸気供給路が切り替えられて、選択された冷却蒸気が冷却系統へ供給される。その結果、冷却蒸気の確実な切り替わりが行われ、効率良くガスタービンを蒸気によって冷却することができる。
【００１５】
上記発明において、第４蒸気を発生させる外部機器とガスタービンの冷却系統とを接続し、外部機器から冷却系統へ第４蒸気を供給する第４冷却蒸気供給路を更に備え、制御部は、第１蒸気、第２蒸気、第３蒸気及び第４蒸気の圧力、又は、第１蒸気、第２蒸気、第３蒸気及び第４蒸気の圧力及び温度に基づいて、第１蒸気、第２蒸気、第３蒸気及び第４蒸気のうち少なくともいずれか一つから冷却蒸気を選択し、第１冷却蒸気供給路、第２冷却蒸気供給路、第３冷却蒸気供給路及び第４冷却蒸気供給路を切り替えて、選択された冷却蒸気を冷却系統へ供給させてもよい。
【００１６】
この発明によれば、第１蒸気、第２蒸気及び第３蒸気に加えて、外部機器で発生した第４蒸気が、ガスタービンの冷却系統へ供給されて、ガスタービンを冷却する。そして、第１蒸気、第２蒸気、第３蒸気及び第４蒸気の圧力に基づいて、冷却系統へ供給する冷却蒸気が選択され、第１冷却蒸気供給路、第２冷却蒸気供給路、第３冷却蒸気供給路及び第４冷却蒸気供給路が切り替えられて、選択された冷却蒸気が冷却系統へ供給される。これにより、第２蒸気や第３蒸気の蒸気量が十分ではない場合、第１蒸気だけではなく、第４蒸気を用いることによって、ガスタービンの冷却系統へ冷却蒸気を供給できる。また、石炭ガス化炉の冷却器からの第３蒸気が確立した後の、プラントの定格運転点及び高負荷帯においては、第４蒸気や第１蒸気を供給することなく、第２蒸気及び第３蒸気を用いてガスタービン冷却のための蒸気を供給することができる。
【００１７】
上記発明において、制御部は、ガスタービンの起動後から排熱回収ボイラからの第１蒸気及び第２蒸気が確立するまでの間、冷却蒸気として第４蒸気を選択し、第４冷却蒸気供給路を介して冷却系統へ第４蒸気を供給し、排熱回収ボイラの第１蒸気が確立してから冷却器から発生する第３蒸気が確立するまでの間、冷却蒸気として第１蒸気を選択し、第１冷却蒸気供給路を介して冷却系統へ第１蒸気を供給し、排熱回収ボイラの第２蒸気が確立してから、冷却蒸気として第２蒸気を選択し、第２冷却蒸気供給路を介して冷却系統へ第２蒸気を供給し、冷却器から発生する第３蒸気が確立してから、冷却蒸気として第３蒸気を選択し、第３冷却蒸気供給路を介して冷却系統へ第３蒸気を供給してもよい。
【００１８】
この発明によれば、プラントにおける蒸気の供給状況（蒸気圧力や温度）に応じて、ガスタービンの冷却に適切な蒸気が、冷却蒸気としてガスタービンに供給される。ガスタービンの冷却に適切な蒸気とは、ガスタービン側が低圧となるような圧力を有する蒸気であって、プラント全体の効率と蒸気の供給状況を鑑みて高圧側よりも低圧側から供給される蒸気である。また、例えば、ガスタービンの起動から、排熱回収ボイラの第１蒸気及び第２蒸気の確立、及び冷却器から発生する第３蒸気の確立に到るまでの間、第４蒸気→第１蒸気→第２蒸気→第３蒸気と、条件確立の順に冷却蒸気源を切り替えて運用することもできる。さらに、石炭ガス化炉の冷却器からの第３蒸気が供給できなくなった場合などにおいても、プラント全体の効率と蒸気の供給状況を鑑みてガスタービンの冷却に適切な蒸気が、冷却蒸気としてガスタービンに供給される。
【００１９】
上記発明において、ガスタービンの冷却状態に基づいて、第３冷却蒸気供給路を流れる第３蒸気の蒸気量を調整する第１蒸気量調整手段を更に備えてもよい。
【００２０】
この発明によれば、ガスタービンの冷却状況に応じて、第３冷却蒸気供給路を介して石炭ガス化炉の冷却器からガスタービンの冷却系統へ供給される蒸気量が変化することから、第２系統からの冷却蒸気と合わせて、適切な蒸気量でガスタービンを冷却できる。ガスタービンの冷却状況は、例えばガスタービンの冷却系統の入口と出口の差圧等に基づいて判断される。
【００２１】
上記発明において、ガスタービンの冷却状態に基づいて、第３冷却蒸気供給路を流れる第３蒸気の温度を調整する第３温度調整手段を更に備えてもよい。
【００２２】
この発明によれば、ガスタービンの冷却状況に応じて、第３冷却蒸気供給路を介して石炭ガス化炉の冷却器からガスタービンの冷却系統へ供給される蒸気の温度が変化することから、ガスタービンの被冷却箇所の温度を調整できる。
【００２３】
上記発明において、蒸気量調整手段は、第３冷却蒸気供給路を流れる第３蒸気を蒸気タービンへ排気する蒸気排出路と、蒸気排出路上に設けられ、蒸気排出路を流れる第３蒸気の蒸気量を調整する第２蒸気量調整手段とを有してもよい。
【００２４】
この発明によれば、蒸気排出路を介して第３冷却蒸気供給路を流れる第３蒸気が排出され、石炭ガス化炉の冷却器からガスタービンの冷却系統へ供給される蒸気量が変化する。したがって、ガスタービンの冷却系統へ蒸気が適切に供給される。また、ガスタービンの冷却系統へ蒸気が過度に供給されることを防止できる。
【００２５】
上記発明において、ガスタービンの冷却状態に基づいて、第１冷却蒸気供給路を流れる第１蒸気の温度を調整する第１温度調整手段を更に備えてもよい。
【００２６】
この発明によれば、ガスタービンの冷却状況に応じて、第１冷却蒸気供給路を介して排熱回収ボイラの第１系統からガスタービンの冷却系統へ供給される蒸気の温度が変化することから、ガスタービンの被冷却箇所の温度を調整できる。
【００２７】
また、本発明に係る石炭ガス化複合発電システムは、石炭ガス化炉と、第１系統から第１蒸気が供給される蒸気タービンと、上記のガスタービン冷却システムとを備える。
【００２８】
また、本発明に係るガスタービン冷却方法は、ガスタービンと、ガスタービンからの排熱と熱交換して第１蒸気を発生させる第１系統と、ガスタービンからの排熱と熱交換して第１蒸気よりも低圧の第２蒸気を発生させる第２系統とを有する排熱回収ボイラと、石炭ガス化炉にて生成された石炭ガスと熱交換して第３蒸気を発生させる冷却器とを備えるガスタービン冷却システムにおけるガスタービン冷却方法であって、第１系統からガスタービンの冷却系統へ第１蒸気を供給するステップと、第２系統から冷却系統へ第２蒸気を供給するステップと、冷却器から冷却系統へ第３蒸気を供給するステップと、第１蒸気、第２蒸気及び第３蒸気の圧力に基づいて、冷却系統へ供給する冷却蒸気を、第１蒸気、第２蒸気及び第３蒸気のうち少なくともいずれか一つから選択するステップと、選択された冷却蒸気を冷却系統へ供給させるステップとを備える。
【発明の効果】
【００２９】
本発明によれば、中圧蒸気の発生量を増加させるために高圧蒸気の発生を減少させるような排熱回収ボイラとすることなく、効率良くガスタービンを蒸気によって冷却することができる。
【図面の簡単な説明】
【００３０】
【図１】本発明の一実施形態に係る石炭ガス化複合発電システムにおける排熱回収システム及びガスタービン冷却システムを示す概略構成図である。
【図２】同実施形態に係る排熱回収システム及びガスタービン冷却システムを示す概略構成図である。
【図３】同実施形態に係る排熱回収システム及びガスタービン冷却システムにおける制御弁の制御動作を示す一覧である。
【図４】従来の排熱回収システム及びガスタービン冷却システムを示す概略構成図である。
【図５】従来の石炭ガス化複合発電システムにおける排熱回収システムを示す概略構成図であって、ガスタービンの蒸気冷却システムを備えないケースである。
【図６】従来の石炭ガス化複合発電システムにおける排熱回収システム及びガスタービン冷却システムを示す概略構成図である。
【発明を実施するための形態】
【００３１】
以下に、本発明に係る実施形態について、図面を参照して説明する。
本発明の一実施形態に係る排熱回収システム及びガスタービン冷却システムは、例えば、排熱回収ボイラ２とガスタービン３と蒸気タービン４を有する石炭ガス化複合発電システム（ＩＧＣＣ）のプラント１に適用される。
【００３２】
ガスタービン冷却システムは、例えばガスタービン３と、排熱回収ボイラ２と、排熱回収ボイラ２の高圧系統６からガスタービン３の冷却系統８へ高圧蒸気を供給する高圧蒸気管２８（第１冷却蒸気供給路）と、同中圧系統７からガスタービン３の冷却系統８へ中圧蒸気を供給する中圧蒸気管１９（第２冷却蒸気供給路）と、石炭ガス化炉（図示せず。）にて生成された石炭ガスと熱交換して蒸気を発生させるガス化炉ＳＧＣ２０（冷却器）と、ガス化炉ＳＧＣ２０からガスタービン３の冷却系統８へ蒸気を供給するＳＧＣ蒸気管２４（第３冷却蒸気供給路）と、蒸気を発生させる補助ボイラ４０からガスタービン３の冷却系統８へ蒸気を供給する補助ボイラ蒸気管２７（第４冷却蒸気供給路）等からなる。
【００３３】
排熱回収ボイラ（ＨＲＳＧ）２は、排ガス供給路１４を介してガスタービン３から排出された排ガスが供給される。そして、排熱回収ボイラ２は、排ガスの熱（排熱）と熱交換して蒸気を生成する。排熱回収ボイラ２には、図１に示すように、例えば再熱系統５、高圧系統６、中圧系統７等が設けられる。なお、図１では、排ガス供給路１４に沿って、再熱系統５、高圧系統６及び中圧系統７が順に配置されるように記載しているが、実際には、再熱系統５よりも上流に高圧系統６の高圧過熱器が配置される。
【００３４】
再熱系統５は、再熱器を備え、蒸気タービン４から抽気された蒸気は、低温再熱蒸気管１５を介して再熱系統５へ供給され、再熱系統５の再熱器で加熱される。再熱系統５で加熱された蒸気は、高温再熱蒸気管１６を介して蒸気タービン４へ供給されて、蒸気タービン４を駆動する。
【００３５】
高圧系統６は、高圧節炭器、高圧蒸発器、高圧過熱器を備え、高圧系統６の高圧蒸発器には、高圧ドラムから水が供給される。高圧ドラムから供給された水は、高圧系統６の高圧蒸発器で加熱され、蒸気が生成される。生成された蒸気は、高圧過熱器で加熱されて、高圧蒸気が生成される。生成された高圧蒸気は、高圧蒸気管１７を介して蒸気タービン４へ供給されて、蒸気タービン４を駆動する。
【００３６】
中圧系統７は、中圧節炭器、中圧蒸発器、中圧過熱器を備え、中圧系統７の中圧蒸発器には、中圧ドラムから水が供給される。中圧ドラムから供給された水は、中圧系統７の中圧蒸発器で加熱され、蒸気が生成される。生成された蒸気は、中圧過熱器で加熱されて、中圧蒸気が生成される。生成された中圧蒸気は、中圧蒸気管１９を介してガスタービン３の冷却系統８へ供給されて、ガスタービン３の被冷却箇所を冷却する。ガスタービン３の冷却系統８は、例えば、ガスタービン３に設けられた燃焼器の尾筒、車室などの高温部分に設けられる。
【００３７】
ガスタービン３の冷却に使用された蒸気は、冷却蒸気排出管２６を介して、例えば高温再熱蒸気管１６へ供給されて蒸気タービン４の駆動に再使用される。
【００３８】
ガスタービン３は、燃料ガスを燃焼して、タービンを駆動し、発電機と連結された主軸がタービンと共に回転することで、発電機を駆動させて発電を行う。ガスタービン３にて燃焼された燃料ガスは、排ガスとして排出される。ガスタービン３は、燃料ガスの燃焼によって高温になることから、熱による影響を低減するため、冷却媒体によって冷却される。冷却媒体は、例えば排熱回収ボイラ２で生成された中圧蒸気やガス化炉ＳＧＣ２０で生成された蒸気が使用される。
【００３９】
蒸気タービン４は、排熱回収ボイラ２で生成された再熱蒸気や高圧蒸気が供給されて、タービンを駆動する。蒸気タービン４は、図１に示すように、排熱回収ボイラ２の再熱系統５と高圧系統６それぞれから再熱蒸気と高圧蒸気が供給される。蒸気タービン４の主軸は、図２に示す発電機４３と連結され、タービンと共に回転することで、発電機４３を駆動させて発電を行う。なお、発電機４３は、１台の発電機がガスタービン３と蒸気タービン４の両者に連結されてもよいし、ガスタービン３と蒸気タービン４それぞれに異なる発電機が連結されてもよい。
【００４０】
ガス化炉ＳＧＣ２０は、蒸発器を備え、ガス化炉ＳＧＣ２０の蒸発器は、ＳＧＣドラムから水が供給される。ＳＧＣドラムから供給された水は、ガス化炉ＳＧＣ２０の蒸発器で加熱され、蒸気が生成される。生成された蒸気は、ＳＧＣ蒸気管２２を介して高圧系統６へ供給される。なお、ＳＧＣドラムへ供給される水は、図１に示すように、ＳＧＣ給水管２１を介して高圧系統６から供給される。
【００４１】
また、ガス化炉ＳＧＣ２０で生成された蒸気は、ＳＧＣ蒸気管２２から分岐したＳＧＣ蒸気管２４を介してガスタービン３の冷却系統８へ供給されて、ガスタービン３の被冷却箇所を冷却する。ＳＧＣ蒸気管２４は、図１に示すように、中圧蒸気管１９の経路の途中で中圧蒸気管１９と合流してもよい。
【００４２】
ＳＧＣ蒸気排出管３５（蒸気排出路）は、ＳＧＣ蒸気管２４を流れるガス化炉ＳＧＣ２０で生成された蒸気を低温再熱蒸気管１５へ排出する。例えば、ガスタービン冷却に要する蒸気量が減少したとき、ガス化炉ＳＧＣ２０で生成された蒸気をガスタービン３の冷却系統８ではなく、排熱回収ボイラ２の再熱系統５に流すことで、ガスタービン３の被冷却箇所を冷却しすぎたり、プラント１の各部の蒸気圧を上昇させすぎたりすることを防止できる。
【００４３】
補助ボイラ４０は、外部機器の一例であり、石炭ガス化複合発電システム（ＩＧＣＣ）のプラント１の定格運転時には用いられない。補助ボイラ４０は、蒸気を発生させて、発生した蒸気をガスタービン３の冷却系統８へ供給する。補助ボイラ４０は、プラント１の起動時の数時間、例えばガス化炉や排熱回収ボイラ２が起動する前に、蒸気を冷却系統８へ供給するために用いられる。補助ボイラ４０ではなく、他のユニットから蒸気を冷却系統８へ供給できる場合は、補助ボイラ４０の代わりに該ユニットを用いてもよい。
【００４４】
以上、本実施形態によれば、上記構成を有するプラント１において、プラント定格運転点及び高負荷帯でのガスタービン３の冷却蒸気として、排熱回収ボイラ２から中圧蒸気を供給するだけでなく、ガス化炉ＳＧＣ２０から排熱回収ボイラ２へ供給される蒸気の一部を供給する。これにより、中圧蒸気だけでは必要冷却蒸気が不足する場合でも、高圧蒸気を用いることなく、また高圧蒸気の発生を減少させたりすることなく冷却蒸気を補うことができる。
その結果、プラント定格運転点及び高負荷帯において、排熱回収ボイラ２で発生する高圧蒸気を用いたり、排熱回収ボイラ２の設計に当たって、中圧蒸気の発生量を増加させるために高圧蒸気の発生を減少させたりすることなく、効率良くガスタービン３を蒸気によって冷却することができる。
【００４５】
次に、プラント１の運転動作について説明する。
ガスタービン３の冷却系統８へ冷却蒸気を供給する場合、関連技術として、排熱回収ボイラ２からの中圧蒸気を使用せずに、ガス化炉ＳＧＣ２０からの蒸気のみを使用することが考えられる。しかし、この場合、ガス化炉ＳＧＣ２０の蒸気確立前には、ガスタービン３の冷却系統８へ蒸気を供給することができない。そのため、ガス化炉がガスタービン３に先行して起動している必要がある。
【００４６】
そこで、ガス化炉をガスタービン３に先行して起動することによって、ガスタービン３の起動に先立ちガス化炉ＳＧＣ２０からの蒸気を準備できればよいが、以下のとおり、ガスタービン３がガス化炉に先行して起動している必要がある場合や、ガスタービン３がガス化炉に先行して起動したほうが望ましい場合がある。
【００４７】
すなわち、起動用の空気圧縮機を持たずガスタービン３からの抽気連携によってガス化炉の起動を行う石炭ガス化複合発電システムでは、ガス化炉は、ガスタービン３が起動していないと起動できない。例えば、空気吹きガス化炉を用いる場合では、主たる酸化剤の供給源であるガスタービン圧縮機からの抽気空気を必要とする。また、酸素吹きガス化炉を用いる場合でも、空気分離装置で酸素を製造する際の原料となる空気の全部又は一部をガスタービン圧縮機からの抽気空気で賄うときには、ガスタービン３が先行して起動している必要がある。
【００４８】
更に、石炭ガス化複合発電システムのプラント１の起動時には、空気分離装置や酸化剤、イナートガスの圧縮機など消費動力の大きい機器を運転する必要がある。これを外部からの購入電力で賄うよりは、起動用燃料でガスタービン３及び複合発電部分を先行して起動し、自らの製造電力で賄うほうが経済的である。したがって、石炭ガス化複合発電システムのプラント１では、経済性の観点からガスタービン３をガス化炉に先行して起動するケースも多い。このように、ガスタービン３をガス化炉に先行して起動しようとする場合において、ガス化炉ＳＧＣ２０からの蒸気のみを使用して、ガスタービン３の冷却系統８へ冷却蒸気を供給する構成では、ガスタービン３の起動時に蒸気を供給することができない。
【００４９】
一方、本実施形態では、排熱回収ボイラ２の中圧蒸気をガスタービン３の冷却系統８へ供給することから、ガス化炉ＳＧＣ２０の蒸気確立前でもガスタービン３の被冷却箇所を適切に冷却できる。また、図１及び図２に示すように、補助ボイラ４０で発生した蒸気や高圧系統６で発生した高圧蒸気を冷却系統８へ供給できるようにしておくことで、ガスタービン３を損傷させることなく停止状態から起動できる。また、何らかの原因でガス化炉ＳＧＣ２０から蒸気を供給できなくなった場合にも、他の系統から冷却系統８へ蒸気を供給できる。
【００５０】
本実施形態のプラント１の運転動作は、図３に示すように、（１）ガスタービン３の起動・着火から排熱回収ボイラ２の高圧蒸気確立まで、（２）排熱回収ボイラ２の高圧蒸気確立から排熱回収ボイラ２の中圧蒸気確立まで、（３）排熱回収ボイラ２の中圧蒸気確立からガス化炉蒸気確立まで、（４）ガス化炉蒸気確立後の４過程に分けられる。
【００５１】
そして、各過程にて、冷却蒸気の蒸気流量は、ガスタービン３の被冷却箇所（燃焼器など）の冷却に必要な流量が確保される。蒸気流量の制御は燃焼器の差圧で実施され、流量計は制御に使用されない。冷却蒸気の蒸気温度は、ガスタービン３の翼環を暖気して、クリアランスを確保する温度、かつ高温とならないようにガスタービン３本体が保護される温度（例えば５７０℃以下、好ましくは５００〜６００℃の範囲）に保たれる。冷却蒸気の蒸気圧力は、燃焼器車室からの燃焼ガスが蒸気タービン４側へ侵入しないように、冷却蒸気排出管２６又は高温再熱蒸気管１６がガスタービン３よりも高圧に維持される。
【００５２】
なお、以下で説明する冷却蒸気の切り替えは、図示しない制御部が、制御弁Ｃ１〜Ｃ７、インターセプト弁ＩＣＶを制御することによって行われる。制御部は、排熱回収ボイラ２で発生した高圧蒸気や中圧蒸気、ガス化炉ＳＧＣ２０からの蒸気、及び補助ボイラ４０からの蒸気の温度や圧力に基づいて、冷却系統８へ供給する冷却蒸気を選択し、冷却蒸気の切り替えを行う。
【００５３】
（１）ガスタービン起動・着火から排熱回収ボイラ２の高圧蒸気確立までは、補助ボイラ蒸気管２７に設けられた制御弁Ｃ１を固定開度に保ち、制御弁Ｃ２，Ｃ３，Ｃ４，Ｃ５，Ｃ６及びインターセプト弁ＩＣＶを閉状態にする。蒸気排出管３７に設けられた制御弁Ｃ７は、燃焼器の内圧を測定する圧力計Ｐ１と、冷却蒸気排出管２６に設けられた圧力計Ｐ２に基づいて、圧力差Ｐ２−Ｐ１が０．３〜０．４ＭＰａ程度よりも大きくなるように制御される。これにより、補助ボイラ４０からガスタービン３の冷却系統８へ蒸気が供給され、冷却に使用された蒸気が蒸気排出管３７に接続された復水器３６へ排出される。なお、排熱回収ボイラ２から高圧蒸気が発生すると、高圧蒸気管１７を介して高圧系統６から高圧蒸気タービン４２まで高圧蒸気が供給される。
【００５４】
（２）排熱回収ボイラ２の高圧蒸気確立から排熱回収ボイラ２の中圧蒸気確立までは、制御弁Ｃ１を固定開度に保ち、高圧蒸気管２８に設けられた制御弁Ｃ２を差圧計ＤＰに基づいて制御し、排熱回収ボイラ２からの高圧蒸気を負荷見合いで流量制御する。差圧計ＤＰは、ガスタービン３の冷却系統８の入口と出口の差圧を測定する。制御弁Ｃ３，Ｃ４，Ｃ５，Ｃ６及びインターセプト弁ＩＣＶは、閉状態にされる。制御弁Ｃ７は、圧力計Ｐ１，Ｐ２に基づいて、圧力差Ｐ２−Ｐ１が０．３〜０．４ＭＰａ程度よりも大きくなるように制御される。これにより、補助ボイラ４０と排熱回収ボイラ２の高圧系統６から冷却蒸気が供給され、冷却に使用された蒸気が復水器３６へ排出される。なお、排熱回収ボイラ２から中圧蒸気が発生すると、中圧蒸気管１９を介して中圧系統７からガスタービン３の冷却系統８まで中圧蒸気が供給される。
【００５５】
（３）排熱回収ボイラ２の中圧蒸気確立からガス化炉蒸気確立までは、制御弁Ｃ１を閉状態にする。また、制御弁Ｃ２を差圧計ＤＰに基づいて制御し、排熱回収ボイラ２からの高圧蒸気を冷却蒸気のバックアップ蒸気として流量制御する。中圧蒸気管１９に設けられた温度計Ｔ１と、冷却蒸気排出管２６に設けられた温度計Ｔ２に基づいて、スプレイ２９（第１温度調整手段）を作動させて、高圧蒸気の温度を調整する。温度調整後の高圧蒸気は、例えば２８０℃であり、過熱度が確保される。スプレイ２９は、高圧蒸気管２８に設けられている。温度計Ｔ１による測定によって、ガスタービン３の翼環を暖気してクリアランスを確保する温度と、ガスタービン３へのドレン侵入を防止する温度が管理される。温度計Ｔ２による測定によって、高温とならないようにガスタービン３本体が保護される温度が管理される。
【００５６】
さらに、中圧蒸気排出管３０に設けられた制御弁Ｃ３を差圧計ＤＰに基づいて制御し、排熱回収ボイラ２からの中圧蒸気を負荷見合いで流量制御するか、又は制御弁Ｃ３をミニマム開度にして中圧蒸気を低温再熱蒸気管１５へ供給する。これにより、排熱回収ボイラ２で発生した中圧蒸気は、ガスタービン３の冷却系統８へ供給されるだけでなく、排熱回収ボイラ２の再熱系統５を通過して中圧蒸気タービン４１まで供給される。また、制御弁Ｃ３の開閉動作によって、中圧蒸気管１９を流れガスタービン３の冷却系統８へ供給される中圧蒸気の蒸気量が調整される。
【００５７】
制御弁Ｃ４，Ｃ６及びＣ７は、閉状態にされる。高圧蒸気排出管３４に設けられた制御弁Ｃ５は、ガスタービン３の被冷却対象である高温部へ供給する必要蒸気量が計画当初とずれて、設計時の流量を必要としないとき、開操作される。その結果、排熱回収ボイラ２からの高圧蒸気が高圧蒸気排出管３４を介して高温再熱蒸気管１６へ排出され、中圧蒸気タービン４１へ供給される。また、ガスタービン３の冷却系統８へ供給される蒸気流量が抑制される。そして、この制御弁Ｃ５を備える高圧蒸気排出管３４が設けられることによって、計画時に蒸気タービン４の入口圧力に不要なマージンを持たせて性能を低下させることや、設備費を増加させることを回避できる（表中※印）。なお、高圧蒸気排出管３４は、高温再熱蒸気管１６ではなく、低温再熱蒸気管１５に接続されてもよい。
【００５８】
インターセプト弁ＩＣＶは、圧力計Ｐ１，Ｐ２に基づいて、圧力差Ｐ２−Ｐ１が０．３〜０．４ＭＰａよりも大きくなるように制御される。圧力計Ｐ２は、実線で示すように、冷却蒸気排出管２６に設けられてもよいし、破線で示すように、高温再熱蒸気管１６に設けられてもよい。以上より、排熱回収ボイラ２の高圧系統６と中圧系統７から冷却蒸気が供給され、冷却に使用された蒸気が中圧蒸気タービン４１へ排出される。なお、ガス化炉ＳＧＣ２０から蒸気が発生すると、ＳＧＣ蒸気管２２を介して排熱回収ボイラ２の高圧系統６へ蒸気が供給される。
【００５９】
（４）ガス化炉蒸気確立後は、制御弁Ｃ１，Ｃ２を閉状態にする。また、制御弁Ｃ３を差圧計ＤＰに基づいて制御し、排熱回収ボイラ２からの中圧蒸気を負荷見合いで流量制御するか、又は制御弁Ｃ３をミニマム開度にして中圧蒸気を低温再熱蒸気管１５へ供給する。これにより、排熱回収ボイラ２で発生した中圧蒸気は、ガスタービン３の冷却系統８へ供給されるだけでなく、排熱回収ボイラ２の再熱系統５を通過して中圧蒸気タービン４１まで供給される。
【００６０】
ＳＧＣ蒸気管２４に設けられた制御弁Ｃ４（第１蒸気量調整手段）を差圧計ＤＰに基づいて制御し、ガス化炉ＳＧＣ２０からの蒸気を冷却蒸気のバックアップ蒸気として流量制御する。温度計Ｔ１，Ｔ２に基づいて、スプレイ３３（第３温度調整手段）を作動させて、ガス化炉ＳＧＣ２０からの蒸気の温度を調整する。スプレイ３３は、ＳＧＣ蒸気管２４に設けられている。温度調整後の蒸気は、例えば２８０℃であり、過熱度が確保される。制御弁Ｃ５，Ｃ７は、閉状態にされる。ＳＧＣ蒸気排出管３５（蒸気排出路）に設けられた制御弁Ｃ６（第２蒸気量調整手段）は、ガスタービン３の被冷却対象である高温部へ供給する必要蒸気量が計画当初とずれて、設計時の流量を必要としないとき、開操作される。その結果、ガス化炉ＳＧＣ２０からの蒸気がＳＧＣ蒸気排出管３５を介して低温再熱蒸気管１５へ排出され、中圧蒸気タービン４１へ供給される。また、ガスタービン３の冷却系統８へ供給される蒸気流量が抑制される。そして、この制御弁Ｃ６を備えるＳＧＣ蒸気排出管３５が設けられることによって、計画時に蒸気タービン４の入口圧力に不要なマージンを持たせて性能を低下させることや、設備費を増加させることを回避できる（表中※印）。なお、ＳＧＣ蒸気排出管３５は、低温再熱蒸気管１５ではなく、高温再熱蒸気管１６に接続されてもよい。
【００６１】
インターセプト弁ＩＣＶは、圧力計Ｐ１，Ｐ２に基づいて、圧力差Ｐ２−Ｐ１が０．３〜０．４ＭＰａよりも大きくなるように制御される。以上より、排熱回収ボイラ２の中圧系統７とガス化炉ＳＧＣ２０から冷却蒸気が供給され、冷却に使用された蒸気が中圧蒸気タービン４１へ排出される。
【００６２】
以下、本実施形態の作用効果について説明する。
排熱回収ボイラ２の中圧系統７で発生する中圧蒸気によってガスタービン３を冷却している場合、ガスタービン３への冷却系統８へ供給する蒸気合計量を増加させるため、図４の関連技術のプラント１０に示すように、高圧系統６で発生した高圧蒸気を使用することが考えられる。すなわち、高圧系統６から蒸気タービン４までの高圧蒸気管１７を分岐して、高圧蒸気を減温器３１へ導き、高圧蒸気を減温、減圧する。そして、高圧蒸気を減温、減圧した蒸気を冷却蒸気としてガスタービン３の冷却系統８へ供給する。
【００６３】
また、図５に、石炭ガス化複合発電システムの一般的なプラント１１の概略構成図を示す。このプラント１１にて、ガス化炉ＳＧＣ２０は、石炭ガス化炉（図示せず。）で発生するガスと熱交換して蒸気を発生させる。ここで、ガス化炉ＳＧＣ２０で発生する蒸気が蒸気タービン４の駆動に使用されることによって、サイクル効率の向上を図ることができる。しかし、ガス化炉ＳＧＣ２０の出口蒸気温度は、伝熱管の高温腐食抑制の観点から低くなっており、同蒸気は、蒸気タービン４へ投入される前に、排熱回収ボイラ２で昇温させる必要がある。そのため、図５に示すように、ＳＧＣ蒸気管２２を介して、ガス化炉ＳＧＣ２０で発生した蒸気を排熱回収ボイラ２の高圧系統６に合流させることによって、所定温度まで加熱された蒸気が蒸気タービン４へ供給される。なお、排熱回収ボイラ２の中圧系統７で発生した中圧蒸気は、中圧蒸気管２３を介して低温再熱蒸気管１５へ供給されている。
【００６４】
そして、図４及び図５の構成を組み合わせると、図６に示すプラント１２の構成とすることが考えられる。プラント１２では、排熱回収ボイラ２の中圧系統７で発生する中圧蒸気によってガスタービン３を冷却しており、ガスタービン３への冷却系統８へ供給する蒸気合計量を増加させるため、高圧系統６で発生した高圧蒸気を使用する。しかし、この方法による場合は、中圧系統７からガスタービン３への冷却系統８へ供給する蒸気を増加させずにすむが、高温かつ高圧である蒸気をわざわざ減温、減圧することになり、このような減温プロセスは、プラント効率の低下を招きかねない。
【００６５】
一方、本実施形態によれば、ガス化炉ＳＧＣ２０の出口蒸気温度は、材料上の制約から排熱回収ボイラ２の高圧主蒸気ほど高温にならない。また、ガス化炉ＳＧＣ２０から発生する蒸気の過熱度は、１００℃以下であり、減圧後蒸気が湿り蒸気となることもない。
【００６６】
また、石炭ガス化複合発電システムにて、ガス化炉ＳＧＣ２０からの発生蒸気は、排熱回収ボイラ２の高圧系統６、特に高圧過熱器に流入する。そのため、排熱回収ボイラ２内部に設置する蒸発器と過熱器のバランスを従来と異ならせる必要がある。このとき、通常のガスタービン複合発電システムの排熱回収ボイラとは異なり、蒸気系統での圧力損失の増加や伝熱面積の増加などが懸念される。一方、本実施形態では、図５や図６に示すような従来の石炭ガス化複合発電システムとも異なり、ガス化炉ＳＧＣ２０から排熱回収ボイラ２へ流入する蒸気量が減少することから、圧力損失が低減し、伝熱面積も低減でき、より経済的な設計が可能となる。
【００６７】
低負荷時など、ガスタービン３の冷却系統８にて必要な蒸気量が変化した場合、各蒸気供給源（排熱回収ボイラ２の中圧蒸気確立後は、排熱回収ボイラ２の中圧系統７からの中圧蒸気、及びガス化炉ＳＧＣ２０からの蒸気）からの蒸気を調整することによって対応できる。このとき、部分負荷運転において、冷却蒸気中の中圧蒸気の割合を増加させることができるため、ガス化炉ＳＧＣ２０からの発生蒸気のみで対応する場合に比べて、性能の落ち込みを抑えることができる。その結果、部分負荷運転時の効率低下を抑制することができる。また、ガス化炉ＳＧＣ２０側の圧力とガスタービン３の冷却系統８側との圧力差が大きく、良好な制御性も維持できる。
【００６８】
排熱回収ボイラ２の中圧系統７からの中圧蒸気だけで冷却蒸気を供給する場合は、中圧蒸気を増加させようとするとき、高圧蒸気量の発生を抑制する必要があり、不経済な排熱回収ボイラ２の設計となる。一方、プラント定格運転点や高負荷帯における冷却蒸気量を中圧蒸気とガス化炉ＳＧＣ２０からの発生蒸気によって供給することによって、不経済な排熱回収ボイラ２の設計を回避でき、バランス良い設計が可能になる。また、プラント１の負荷変化時や燃料性状のずれを考慮した冷却蒸気量の変動に対して、中圧蒸気量に裕度を見込んだ排熱回収ボイラ２の伝熱面設計にする必要がなくなり、性能へのロバスト性を高めることができる。
【００６９】
プラント定格運転点における冷却蒸気量を中圧蒸気とガス化炉ＳＧＣ２０からの発生蒸気によって供給することによって、ガス化炉ＳＧＣ２０からの発生蒸気全量で冷却蒸気を供給する場合に比べて、プラント効率の低下を大幅に抑えるとともに、燃焼器の冷却水配管サイズを実設計において現実的なものにすることができる。
【００７０】
プラント定格運転点における冷却蒸気量を中圧蒸気とガス化炉ＳＧＣ２０からの発生蒸気によって供給することによって、ガス化炉ＳＧＣ２０からの発生蒸気の一部のみで冷却蒸気を供給する場合に比べて、プラント効率の低下を最小限に抑えることができる。
【００７１】
なお、上記実施形態において、排熱回収ボイラ２は、高圧系統６と中圧系統７を有する二重圧方式であり、ガス化炉ＳＧＣ２０は、単圧方式である場合について説明したが、本発明はこの例に限定されない。例えば、排熱回収ボイラ２は、高圧系統、中圧系統及び低圧系統を有する三重圧方式であってもよい。また、ガス化炉ＳＧＣ２０は、二重圧方式など複圧方式でもよいし、ガス化炉ＳＧＣ２０の低温部から冷却蒸気を抽出するとしてもよい。
【００７２】
また、上記実施形態では、ガスタービン３がガス化炉に先行して起動する場合について記載したが、本発明はこの例に限定されない。ガス化炉をガスタービン３に先行して起動させることにより、ガス化炉ＳＧＣ２０からの蒸気をガスタービン３の冷却蒸気にあててもよい。この場合、補助ボイラ４０等からの蒸気を冷却蒸気として使用しなくてもよい。
【符号の説明】
【００７３】
１，１０，１１，１２  プラント
２  排熱回収ボイラ
３  ガスタービン
４  蒸気タービン
５  再熱系統
６  高圧系統（第１系統）
７  中圧系統（第２系統）
８  冷却系統
１４  排ガス供給路
１５  低温再熱蒸気管
１６  高温再熱蒸気管
１７  高圧蒸気管
１９  中圧蒸気管（第２冷却蒸気供給路）
２０  ガス化炉ＳＧＣ（冷却器）
２２  ＳＧＣ蒸気管
２４  ＳＧＣ蒸気管（第３冷却蒸気供給路）
２６  冷却蒸気排出管
２７  補助ボイラ蒸気管（第４冷却蒸気供給路）
２８  高圧蒸気管（第１冷却蒸気供給路）
２９  スプレイ（第１温度調整手段）
３０  中圧蒸気排出管
３３  スプレイ（第３温度調整手段）
３４  高圧蒸気排出管
３５  ＳＧＣ蒸気排出管（蒸気排出路）
４０  補助ボイラ
Ｃ４  制御弁（第１蒸気量調整手段）
Ｃ６  制御弁（第２蒸気量調整手段）
【図１】
2013249745.tif 000003
【図２】
2013249745.tif 000004
【図３】
2013249745.tif 000005
【図４】
2013249745.tif 000006
【図５】
2013249745.tif 000007
【図６】
2013249745.tif 000008